(57)【要約】【課題】鍵データの一部を利用者が任意に設定できるロックシステムを提供する。【解決手段】ロックシステム１は、認証データが記憶される鍵媒体としての利用者端末３と、利用者端末３から近距離無線通信により取得する認証データを正常認証したときに制御されるゲート装置４とを備える。利用者端末３は、ゲート装置４が制御される際の特定利用者の手助けとなる操作補助データを設定するための操作部３ａと、操作部３ａの操作により設定された操作補助データを記憶する記憶部３ｂとを備える。ゲート装置４は、利用者端末３から取得する認証データを正常認証すると、その認証データに関連する操作補助データを利用者端末３から取得して処理を実行する。【選択図】図１
2015068086.tif 000002
【特許請求の範囲】
【請求項１】
認証データが記憶される鍵媒体としての利用者端末と、該利用者端末から近距離無線通信により取得する認証データを正常認証したときに制御されるゲート装置とを備えたロックシステムにおいて、
前記利用者端末は、前記ゲート装置が制御される際の特定利用者の手助けとなる書き換え可能な操作補助データを設定するための操作部と、該操作部の操作により設定された操作補助データを記憶する記憶部とを備えたことを特徴とするロックシステム。
【請求項２】
前記利用者端末は、前記ゲート装置毎の操作補助データを一覧表示する表示部を備え、
前記操作部の操作により前記ゲート装置毎の操作補助データの設定が可能であることを特徴とする請求項１記載のロックシステム。
【請求項３】
前記ゲート装置は、前記利用者端末から取得する前記認証データを正常認証したときに、該認証データに関連する操作補助データを前記利用者端末から取得して処理を実行することを特徴とする請求項１又は２記載のロックシステム。
【発明の詳細な説明】
【技術分野】
【０００１】
本発明は、例えばホテル、商業ビル、一般住宅、集合住宅などの各種物件に採用され、各種物件の出入り口に設置されるゲート装置の電気錠の解錠・施錠制御や自動扉の開閉制御に必要な鍵データが保存される移動体通信端末（非接触ＩＣ付きの携帯電話やスマートフォンなど）を鍵媒体として用い、この鍵媒体から取得した鍵データの正当性を判別して正常認証したときのみ電気錠の解錠・施錠制御や自動扉の開閉制御を行うロックシステムに関するものである。
【背景技術】
【０００２】
例えばホテル、商業ビル、一般住宅、集合住宅などの各種物件では、出入り口に設置されるゲート装置の電気錠の解錠・施錠制御や自動扉の開閉制御に必要な鍵データが保存されるＩＣカードを鍵媒体とし、ゲート装置に付属するカードリーダによって鍵媒体から鍵データを取得し、この取得した鍵データの正当性を判別して正常認証したときのみ電気錠の解錠・施錠制御や自動扉の開閉制御を行うロックシステムが採用されている。この種のＩＣカードを鍵媒体として利用するロックシステムとしては、例えば下記特許文献１などに開示されるものが従来より知られている。
【０００３】
ところで、近年、上述したロックシステムを採用したホテルでは、例えば音により解錠・施錠を通知する視覚障害者向けの機能（解錠・施錠通知機能）や解錠時間を延長する車椅子利用者向けの機能（解錠時間延長機能）が特定利用者向けの補助機能として利用されており、特定利用者に対するサービスの向上が図られている。
【０００４】
そして、上述した特定利用者向けの補助機能を利用するにあたっては、図２（ｂ）に示すように、部屋番号、有効期限、発行日時からなる認証データに加え、上述した解錠・施錠通知機能を実行するか否かを示す「ＯＮ／ＯＦＦ」のデータ、解錠時間延長機能における解錠時間のデータを特定利用者向けの補助データとして埋め込んだ鍵データに暗号化・署名の処理を施して鍵媒体としてのＩＣカードに書き込み保存している。図２（ｂ）の例では、部屋番号「１０１」、有効期限「２０１３／１／１〜２０１３／１／３」、発行日時「２０１３／１／１  １２：００」を認証データとし、解錠・施錠通知機能「ＯＮ」、解錠時間「５秒」を補助データとして埋め込んだデータを鍵データとしている。
【０００５】
また、鍵媒体としてのＩＣカードに保存される鍵データは、データの改竄や偽造を防止するため、上述した認証データと特定利用者向けの補助データの全体を暗号化・署名する処理が施されていた。
【先行技術文献】
【特許文献】
【０００６】
【特許文献１】特開２００１−２４１２２６号公報
【発明の概要】
【発明が解決しようとする課題】
【０００７】
しかしながら、従来のＩＣカードを鍵媒体として利用するロックシステムでは、管理者以外の者が勝手に鍵データに暗号化・署名の処理を行うことができなかった。このため、鍵データの内容を変更したい場合は、管理者に鍵データの書き換えを依頼する必要があった。
【０００８】
また、上述した特定利用者向けの補助データは、鍵データの一部として埋め込まれ、認証データとともにまとめて暗号化・署名の処理を管理者が行っていた。このため、ＩＣカードを鍵媒体とするロックシステムをホテルに採用した場合、チェックイン時のＩＣカードの発行の際に、利用者が管理者であるホテル従業員に申請する必要があった。しかし、特定利用者向けの補助データは、利用者の身体の障害に直接関わる重要な個人情報であるため、利用者自らが補助データの設定（設定変更を含む）を行いたいという要望があった。
【０００９】
そこで、本発明は上記問題点に鑑みてなされたものであり、鍵データの一部を利用者が任意に設定することができるロックシステムを提供することを目的とするものである。
【課題を解決するための手段】
【００１０】
上記した目的を達成するために、請求項１に記載されたロックシステムは、認証データが記憶される鍵媒体としての利用者端末と、該利用者端末から近距離無線通信により取得する認証データを正常認証したときに制御されるゲート装置とを備えたロックシステムにおいて、
前記利用者端末は、前記ゲート装置が制御される際の特定利用者の手助けとなる書き換え可能な操作補助データを設定するための操作部と、該操作部の操作により設定された操作補助データを記憶する記憶部とを備えたことを特徴とする。
【００１１】
請求項２に記載されたロックシステムは、請求項１のロックシステムにおいて、
前記利用者端末は、前記ゲート装置毎の操作補助データを一覧表示する表示部を備え、
前記操作部の操作により前記ゲート装置毎の操作補助データの設定が可能であることを特徴とする。
【００１２】
請求項３に記載されたロックシステムは、請求項１又は２のロックシステムにおいて、
前記ゲート装置は、前記利用者端末から取得する前記認証データを正常認証したときに、該認証データに関連する操作補助データを前記利用者端末から取得して処理を実行することを特徴とする。
【発明の効果】
【００１３】
本発明によれば、データの読み書きが可能な利用者端末を鍵媒体として用い、管理者のみが設定できる暗号化領域の認証データと、利用者が裁量で設定できる書き換え可能な非暗号化領域の操作補助データとに分割し、認証データと、この認証データと関連する操作補助データとを鍵データとして利用者端末に保存するので、非暗号化領域の操作補助データの設定や変更が任意に行え、柔軟な設定が可能となった。
【００１４】
また、利用者が利用者端末の表示を見ながら手元操作により操作補助データの設定や変更が任意に行え、データの書き換え作業の手間を大幅に削減することができる。そして、利用者は、自身が所有する利用者端末の表示を見て操作補助データの設定や変更を容易に行えるので、視覚障害や聴覚障害などの個人情報を管理者に通知する必要がなく、プライバシーを保護することができる。
【図面の簡単な説明】
【００１５】
【図１】本発明に係るロックシステムの概略構成を示すブロック図である。
【図２】（ａ）本発明に係るロックシステムにおいて利用者端末に保存される鍵データ（認証データ、操作補助データ）の一例を示す説明図である。  （ｂ）従来のロックシステムにおいて暗号化・署名の処理が施されてＩＣカードに保存される鍵データ（認証データ、補助データ）の一例を示す説明図である。
【図３】（ａ）本発明に係るロックシステムにおいて操作補助データを設定する際のメニュー画面の表示例を示す図である。  （ｂ）操作補助データを設定する際の通行許可一覧の表示例を示す図である。  （ｃ）操作補助データを設定する際の詳細設定の表示例を示す図である。  （ｄ）操作補助データの一部を設定変更した際の詳細設定の表示例を示す図である。
【発明を実施するための形態】
【００１６】
以下、本発明を実施するための形態について、添付した図面を参照しながら詳細に説明する。
【００１７】
本発明に係るロックシステムは、例えばホテル、商業ビル、一般住宅、集合住宅などの各種物件に採用され、各種物件の出入り口に設置されるゲート装置の電気錠の解錠・施錠制御や自動扉の開閉制御に必要な鍵データが保存される利用者端末（非接触ＩＣ付きの携帯電話やスマートフォンなど）を鍵媒体として用い、この鍵媒体から取得した鍵データの正当性を判別して正常認証したときのみ電気錠の解錠・施錠制御や自動扉の開閉制御を行うものであり、障害者などの特定利用者向けの操作補助データを鍵媒体の利用者端末に書き換え可能に保存し、鍵媒体の所有者（利用者）が任意に操作補助データの設定（設定変更を含む）が行える機能を有している。
【００１８】
以下、本発明に係るロックシステムをホテルに採用した場合を例にとって説明する。図１に示すように、ロックシステム１は、鍵データの元になる認証データを発行するデータ発行装置２と、データ発行装置２によって発行された認証データと書き換え可能な操作補助データとが保存される鍵媒体としての利用者端末３と、利用者端末３から取得する認証データを正常認証したときのみ制御（電気錠の解錠・施錠制御、自動扉の開閉制御）されるゲート装置４とから構築される。
【００１９】
鍵データ発行装置２は、例えばホテルのフロントや管理室などに設置され、ホテル従業員（管理者）が操作する装置であり、宿泊者の部屋番号、有効期限、発行日時などの鍵データの元になる認証データを入力するテンキーや表示部を有する操作表示部２ａと、操作表示部２ａからの入力操作に基づいて認証データを発行するデータ発行制御部２ｂと、発行された認証データに暗号化・署名の処理を施して近距離無線通信(Near field communication)により利用者端末３に書き込んで保存するリーダ／ライタ機能を有したデータ処理部２ｃとを備えて構成される。
【００２０】
尚、データ発行装置２は、上述した構成に限定されるものではなく、管理者の管理によって鍵データの元になる認証データを発行し、認証データの利用を許可する利用者端末３に対し、発行した認証データを配信できる構成であれば良い。例えばホテルの管理者が管理し、暗号化・署名の処理が施された認証データをネットワーク経由で利用者端末３に配信するソフトウェアを実装したクラウド上のサーバによりデータ発行装置２を構成することもできる。
【００２１】
また、データ発行装置２は、認証データに加え、後述する書き換え可能な操作補助データを付加した鍵データを発行することもできる。この場合、操作補助データは、各補助機能毎に共通の設定（デフォルト設定）がなされる。
【００２２】
利用者端末３は、ホテルの宿泊者（利用者）が所有する端末であり、非接触ＩＣカードが内蔵され、利用者の手元操作によるデータの読み書きが可能な移動通信端末（携帯電話、スマートフォンなど）で構成され、操作部３ａ、記憶部３ｂ、通信部３ｃ、制御部３ｄを備えている。
【００２３】
操作部３ａは、例えばテンキー、十字キー、操作ボタン等の各種入力部と、例えば液晶ディスプレイ（Liquid Crystal Display：ＬＣＤ）やＥＬディスプレイ（electroluminescence display ：ＥＬＤ）等のディスプレイ装置からなる表示部とを備えている。操作部３ａは、特定利用者向けの操作補助データの設定（設定変更を含む）を行う際、後述するデータ設定・変更処理プログラムを起動し、表示部の操作補助データの設定に関する表示画面（図３（ａ）〜（ｄ）を参照）を確認しながら入力部から入力操作される。尚、入力部は、表示部の表示画面上のソフトキーからなるタッチパネル等のＵＩ（User Interface）を含むものである。
【００２４】
記憶部３ｂは、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成される。
【００２５】
記憶部３ｂは、データ発行装置２から取得した管理者のみが設定できる暗号化・署名の処理が施される暗号化領域の認証データと、この認証データと関連して認証データに反映して紐付けされる書き換え可能な非暗号化領域の操作補助データとを鍵データとして記憶する記憶領域を有している。尚、記憶部３ｂには、操作部３ａの操作により設定される操作補助データのみを予め記憶させておくこともできる。また、記憶部３ｂには、認証データに関連する操作補助データの設定（設定変更を含む）を制御部（マイクロコンピュータ）３ｄに実行させるためのデータ設定・変更処理プログラムが予めインストールされる。
【００２６】
ここで、操作補助データとは、従来の技術でも説明したように、例えば障害者や車椅子利用者などの特定利用者向けの補助データであり、利用者端末３の操作部３ａの手元操作により利用者の裁量で書き換え可能に設定できるデータである。操作補助データとしては、例えば視覚障害者向けの補助機能として音により解錠・施錠を通知するための解錠・施錠通知機能を実行するか否かを示す「ＯＮ／ＯＦＦ」のデータ、車椅子利用者向けに解錠時間を延長する機能を実行するための解錠時間のデータなどがある。
【００２７】
図２（ａ）は記憶部３ｂに保存される鍵データ（認証データ、操作補助データ）の具体例を示している。図２（ａ）の例では、部屋番号「１０１」、有効期限「２０１３／１／１〜２０１３／１／３」、発行日時（認証データの内容変更時は、変更した日時が優先される）「２０１３／１／１  １２：００」からなる暗号化領域の認証データに対し、宿泊者自身が利用者端末３から設定した解錠・施錠通知機能「ＯＮ」、解錠時間「５秒」からなる非暗号化領域の操作補助データが認証データに関連する鍵データとして記憶部３ｂに書き込まれて保存される。
【００２８】
尚、操作補助データは、図２（ａ）に示す内容のみに限らず、ゲート装置４を制御する際に障害者や車椅子利用者等の特定利用者の手助けとなるデータであれば良い。例えば、聴覚障害者向けの補助機能として光により解錠・施錠を通知するための解錠・施錠通知機能を実行するか否かを示す「ＯＮ／ＯＦＦ」のデータ、障害者がホテル従業員の呼び出しするか否かを示す「ＯＮ／ＯＦＦ」のデータ、障害者に音や光により自動扉の開・閉を通知するための開・閉通知機能を実行するか否かを示す「ＯＮ／ＯＦＦ」のデータ、自動扉の開状態を維持する開状態維持時間などがある。また、操作補助データは、操作部３ａにより、全てのゲート装置４で共通の設定を行うか、ゲート装置４毎に適した設定を行うことができる。
【００２９】
通信部３ｃは、制御部３ｄの制御により、データ発行装置２との間で近距離無線通信やネットワーク通信を行ってデータを送受している。また、通信部３ｃは、制御部３ｄの制御により、ゲート装置４との間で近距離無線通信を行ってデータを送受している。
【００３０】
制御部３ｄは、例えばＣＰＵ，ＲＯＭ，ＲＡＭなどを含むマイクロコンピュータで構成される。制御部３ｄは、通信部３ｃとデータ発行装置２との間における近距離無線通信やネットワーク通信、通信部３ｃとゲート装置４との間における近距離無線通信を制御している。
【００３１】
また、制御部３ｄは、操作部３ａの操作に基づいてデータ設定・変更処理プログラムを起動し、通信部３ｃがデータ発行装置２から取得した暗号化領域の認証データに関連する書き換え可能な非暗号化領域の操作補助データの設定や変更を制御している。
【００３２】
ゲート装置４は、ホテルの各客室の出入り口に設置され、通信部４ａ、記憶部４ｂ、制御部４ｃ、電気錠４ｄを備えている。
【００３３】
通信部４ａは、制御部４ｃの制御により、利用者端末３との間で近距離無線通信を行ってデータを送受している。
【００３４】
記憶部４ｂは、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成される。記憶部４ｂには、利用者端末３から取得した鍵データにおける認証データの認証を行うための照合用データ（ゲート装置４が設置される部屋番号など）が記憶されている。また、記憶部４ｂは、不図示の検知手段によってモニタされる現在の電気錠４ｄの施解錠状態や扉の開閉状態を示すモニタデータや電気錠４ｄの施解錠履歴データなどを記憶している。
【００３５】
制御部４ｃは、例えばＣＰＵ，ＲＯＭ，ＲＡＭなどを含むマイクロコンピュータで構成される。制御部４ｃは、通信部４ａと利用者端末３との間で近距離無線通信を行う際の通信部４ａの制御、利用者端末３から取得した鍵データにおける認証データの認証判別処理、認証判別処理の結果と認証データに関連する操作補助データに基づく電気錠４ｄの解錠制御や施錠制御などを行っている。
【００３６】
電気錠４ｄは、例えばモータやソレノイド等の駆動装置と錠前で構成され、制御部４ｃの制御により駆動装置を駆動し、扉枠の係止穴に対してデッドボルトを引き込むことで錠前を解錠し、扉枠の係止穴に対してデッドボルトを突出させることで錠前を施錠している。
【００３７】
尚、電気錠４ｄは、解錠してから所定時間が経過（操作補助データとして解錠時間が設定されている場合は、解錠時間が経過）すると、制御部４ｃの制御により自動的に施錠するようになっている。
【００３８】
ところで、上述したゲート装置４は、電気錠４ｄを含む構成として説明したが、これに限定されるものではない。例えば電気錠４ｄに代えて自動扉を備えた構成とし、利用者端末３から取得した鍵データにおける認証データを正常認証したときのみ自動扉が開き、所定時間が経過（操作補助データとして解錠時間が設定されている場合は、解錠時間が経過）すると自動扉が閉まるようにしてもよい。また、ゲート装置４を電気錠や自動扉を含む構成とし、利用者端末３から取得した鍵データにおける認証データを正常認証したときに電気錠を施錠したり、自動扉を閉めるようにしてもよい。
【００３９】
次に、上記構成によるロックシステム１をホテルに採用した場合において、データ発行装置２により認証データを発行し、発行された認証データを利用者端末３に書き込んで保存するまでの動作について説明する。
【００４０】
ホテルのフロント従業員（管理者）は、宿泊者がチェックイン手続きを行った際に、部屋番号、有効期限、発行日時のデータをデータ発行装置２の操作表示部２ａから入力し、この入力したデータに基づいて鍵データの元になる認証データを発行する。そして、データ発行装置２は、宿泊者が所有する利用者端末３との間で近距離無線通信を行い、発行した認証データに暗号化・署名の処理を施して利用者端末３に送信する。利用者端末３は、データ発行装置２から認証データを受信すると、その認証データにより通行が許可されるゲート装置４を含む物件に対応する操作補助データが記憶部３ｂに保存されているか否かを判別する。利用者端末３は、該当する操作補助データが記憶部３ｂに保存されていると判断すると、その操作補助データをデータ発行装置２から取得した認証データに関連する鍵データとして記憶部３ｂに保存する。これに対し、該当する操作補助データが記憶部３ｂに保存されていないと判断すると、データ発行装置２から取得した認証データのみを鍵データとして記憶部３ｂに保存する。
【００４１】
尚、利用者端末３は、記憶部３ｂに保存されている操作補助データが物件を特定した設定がなされていない場合、データ発行装置２から受信した認証データと操作補助データとを合成して記憶部３ｂに保存する。すなわち、操作補助データは、物件を特定した設定がなされていない場合には、全ての物件のゲート装置４に対して共通の設定が適用されることになる。
【００４２】
また、上述した処理では、利用者端末３がＦｅｌｉＣａ（登録商標）の場合を想定し、利用者端末３がデータ発行装置２から認証データを受信した時点で認証データと操作補助データとを合成しているが、これに限定されるものではない。例えば利用者端末３が近距離無線通信（ＮＦＣ:Near Field Communication)の場合、ゲート装置４から利用者端末３に鍵データの送信要求があったときに、暗号化された認証データと操作補助データとを組み合わせて利用者端末３から送信させることもできる。
【００４３】
さらに、宿泊者が事前にホテルの宿泊予約を行った場合は、宿泊予約時にデータ発行装置２からネットワーク経由で宿泊者の利用者端末３に鍵データの元になる認証データを配信することもできる。この場合、宿泊者は、ホテルのフロントにおけるチェックイン手続きと認証データの発行の手間を省くことができる。
【００４４】
次に、利用者が利用者端末３に操作補助データを設定する場合の動作と、既に設定された操作補助データを変更する場合の動作について説明する。
【００４５】
・操作補助データの設定
操作補助データを設定する場合は、自身が所有する利用者端末３の操作部３ａを操作してデータ設定・変更処理プログラムを起動する。データ設定・変更処理プログラムが起動した状態で図３（ａ）に示す初期メニューから「設定」の項目を選択すると、設定する操作補助データが関連する認証データにより制御されるゲート装置４が設置される物件名、操作補助データの詳細設定を行う。具体的に、ホテルのゲート装置４に対し、解錠・施錠通知機能をオンさせ、解錠時間を１０秒延長させたい場合は、詳細設定の画面において、物件名「ホテル」、解錠・施錠通知機能「ＯＮ」、解錠時間「１０秒」に設定する。この設定された操作補助データは、制御対象のゲート装置４に用いられる認証データに関連するデータとして認証データに反映して紐付けされ、認証データとともに鍵データとして記憶部３ｂに保存される。
【００４６】
・操作補助データの設定変更
操作補助データの設定変更を行う場合は、自身が所有する利用者端末３の操作部３ａを操作してデータ設定・変更処理プログラムを起動する。データ設定・変更処理プログラムが起動した状態で図３（ａ）に示す初期メニューから「設定変更」の項目を選択すると、図３（ｂ）に示すように、その利用者端末３で通行が許可されているゲート装置４が設置された物件が通行許可物件一覧として表示される。図３（ｂ）では、「自宅」、「事務所」、「ホテル」が通行許可物件一覧として表示されている。利用者は、通行許可物件一覧から設定変更する物件、例えば「ホテル」を選択すると、図３（ｃ）に示すように、「ホテル」の操作補助データに関する詳細設定が表示される。利用者は、この詳細設定において、設定項目を選択して適宜設定を行う。図３（ｄ）は、解錠時間を「１０秒」から「１５秒」に設定変更した状態の詳細設定の表示画面を示している。そして、図３（ｄ）の詳細設定で設定変更された操作補助データは、通行許可物件における制御対象のゲート装置４に用いられる認証データに関連する鍵データとして記憶部３ｂに上書き保存される。
【００４７】
そして、上記構成によるロックシステム１において、宿泊者がゲート装置４の電気錠４ｄを解錠する場合には、宿泊する客室の扉の前に立つと、宿泊者が所有する利用者端末３とゲート装置４との間で近距離無線通信が行われる。これにより、ゲート装置４は、利用者端末３から認証データを取得し、この取得した認証データを正常認証すると、その客室の電気錠４ｄを解錠制御する。そして、ゲート装置４は、認証データを正常認証した際、利用者端末３から認証データに関連する操作補助データを取得し、その操作補助データの設定内容に基づいて処理を実行する。例えば図３（ｃ）に示すように、解錠・施錠通知機能「ＯＮ」、解錠時間「１０秒」が認証データに関連する操作補助データとして設定されている場合には、電気錠４ｄが解錠されると、音（例えば、ブザー）を鳴らして利用者に知らせ、電気錠４ｄの解錠から１０秒が経過するまで解錠状態が保持される。
【００４８】
尚、ゲート装置４は、利用者端末３に鍵データの送信を要求し、この要求に伴って利用者端末３から送信される認証データの認証を行う際、その認証データに関連する操作補助データを利用者端末３から同時に取得し、認証データを正常認証すると、その客室の電気錠４ｄを解錠制御するとともに、操作補助データの設定内容に基づく処理を実行しても良い。
【００４９】
このように、本例のロックシステム１では、利用者端末３に保存される鍵データを、管理者のみが設定できる暗号化領域の認証データと、利用者が裁量で設定できる書き換え可能な非暗号化領域の操作補助データとに分割し、認証データと、この認証データと関連する操作補助データとを鍵データとして利用者端末に保存するので、非暗号化領域の操作補助データの設定や変更が任意に行え、柔軟な設定が可能となった。
【００５０】
すなわち、従来、ＩＣカードに書き込まれた鍵データを変更するためには、ＩＣカードを発行した専用の発行機が設置される発行設備のある場所に行く必要があり、データの書き換え作業に手間を要していた。これに対し、本例のロックシステム１では、利用者の操作によるデータの読み書きが可能な非接触ＩＣカード内蔵の携帯型の利用者端末３を鍵媒体として用いているので、利用者が利用者端末３の表示画面を見ながら手元操作により非暗号化領域の操作補助データの設定や変更が任意に行え、上述したデータの書き換え作業の手間を大幅に削減することができる。
【００５１】
また、利用者端末３を鍵媒体として用いるので、その利用者端末３の鍵データにおける認証データにより通行が許可されている物件を一覧表示することができる。しかも、一覧表示から物件を選択すると、その物件のゲート装置４に関する操作補助データの詳細設定を表示することができる。これにより、利用者は、操作補助データの詳細設定から現在の設定状況を確認でき、必要に応じて設定内容を容易に変更することができる。
【００５２】
そして、利用者は、自身が所有する利用者端末３の表示画面を見て操作補助データの設定や変更を容易に行うことができるので、視覚障害や聴覚障害などの個人情報を管理者に通知する必要がなく、プライバシーを保護することができる。
【００５３】
以上、本発明に係るロックシステム１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５４】
１  ロックシステム
２  データ発行装置
２ａ  操作表示部
２ｂ  データ発行制御部
２ｃ  データ処理部
３  利用者端末
３ａ  操作部
３ｂ  記憶部
３ｃ  通信部
３ｄ  制御部
４  ゲート装置
４ａ  通信部
４ｂ  記憶部
４ｃ  制御部
４ｄ  電気錠
【図１】
2015068086.tif 000003
【図２】
2015068086.tif 000004
【図３】
2015068086.tif 000005